(57)【要約】【課題】  鋼管杭の拡底部分の構成を製作容易とすることにある。【解決手段】  鋼管の先端に円形の拡径円盤が溶接してあり、前記円盤は周辺から中央に向った切込みおよび鋼管の周辺に沿った切込みが相対する２ヶ所に形成され、前記周辺から中央に向った切込みに沿って、かつ直径方向の折曲げ線に沿って下方および上方に折曲げて下向きおよび上向きの羽根を形成してある。【選択図】   図１
2006009354.tif 000002
【特許請求の範囲】
【請求項１】
鋼管の先端に円形の拡径円盤が溶接してあり、前記円盤は直径と平行な切込みおよび鋼管の周辺に沿った切込みが相対する２ヶ所に形成され、前記直径と平行な切込みに沿って、かつ直径方向の折曲げ線に沿って下方および上方に折曲げて下向きおよび上向きの羽根を形成してあることを特徴とする拡底鋼管杭。
【請求項２】
直径と平行な切込みは鋼管の周辺に沿った切込みに一部屈折して連結している請求項１記載の拡底鋼管杭。
【請求項３】
拡径円盤の下面の径方向中央部に錐形の沓が設けてある請求項１記載の拡底鋼管杭。
【請求項４】
拡径円盤の下面中央部に切削瓜が突設してある請求項１記載の拡底鋼管杭。
【発明の詳細な説明】
【技術分野】
【０００１】
この発明は、基礎杭として地中に埋設される拡底鋼管杭に関するものである。
【背景技術】
【０００２】
鋼管杭の支持力を増加するため、あるいは地中への貫入を容易にするため、先端部に拡大翼、拡大羽根を固定する構造は種々提案、実施されている。
【特許文献１】特開２００３−３４２９５４号公報
【特許文献２】特開２００３−３４２９５３号公報
【特許文献３】特開２００１−１９３０６３号公報
【特許文献４】特開平１１−２４１３３７号公報
【特許文献５】特開平１０―１０２４８９号公報
【特許文献６】特開平  ９−３２４４２０号公報
【発明の開示】
【発明が解決しようとする課題】
【０００３】
ところで従来の拡大翼は複雑な鋳物構造のものが多い。そこで一枚の螺旋状のものとする構造も提案されている。
【０００４】
この発明は一枚の円盤状の鋼板を加工して溶接部分が少なく、必要強度を比較的落板で成形でき、製作費も少なく、全体として安価な拡底鋼管杭を提供しようとするものである。
【課題を解決するための手段】
【０００５】
鋼管の先端に円形の拡径円盤が溶接してあり、前記円盤は直径と平行な切込みおよび鋼管の周辺に沿った切込みが相対する２ヶ所に形成され、前記直径と平行な切込みに沿って、かつ直径方向の折曲げ線に沿って下方および上方に折曲げて下向きおよび上向きの羽根を形成してある。
【０００６】
また直径と平行な切込みは鋼管の周辺に沿った切込みに一部屈折して連結している。前記拡底円盤の下面の径方向中央部に錐形の沓が設けてある。また他の実施例として拡径円盤の下面中央部に複数の切削瓜が突設してある。
【発明の効果】
【０００７】
この発明は前記構成からなり、１枚の鋼製円板に切目を入れ円板の一部を上下方向に折曲げることによって容易に羽根を形成でき、円盤は鋼管杭の下端に容易かつ確実に溶接することができ、延いては製作費を減少し、安価に拡底鋼管杭を提供できた。
【発明を実施するための最良の形態】
【０００８】
（実施例）
鋼管１の先端に円形の板状拡径円盤２が溶接してある。その円盤２は直径と平行な切込みＸおよび鋼管の周辺に沿った切込みＹが相対する２ヶ所に形成され、前記直径と平行な切込みＸに沿って、かつ直径方向の折曲げ線に沿って下方および上方に折曲げて下向き羽根３および上向きの羽根４を形成してある。
【０００９】
直径と平行な切込みＸは鋼管１の周辺に沿った切込に一部屈折して連結している。
【００１０】
拡径円盤の下面の径方向中央部に錐形の沓５が設けてある。
【００１１】
他の実施例として拡径円盤の下面中央部に複数の切削瓜６が突設してある。
【図面の簡単な説明】
【００１２】
【図１】立面図である。
【図２】他の立面図である。
【図３】拡径円盤の説明図である。
【図４】他の拡径円盤の説明図である。
【符号の説明】
【００１３】
１…鋼管、２…拡径円盤、３…下向き羽根、４…上向き羽板、５…沓、６…切削瓜  
【図１】
2006009354.tif 000003
【図２】
2006009354.tif 000004
【図３】
2006009354.tif 000005
【図４】
2006009354.tif 000006
【手続補正書】
【提出日】平成16年9月21日(2004.9.21)
【手続補正１】
【補正対象書類名】特許請求の範囲
【補正対象項目名】全文
【補正方法】変更
【補正の内容】
【特許請求の範囲】
【請求項１】
鋼管の先端に円形の拡径円盤が溶接してあり、前記円盤は周辺から中央に向った切込みおよび鋼管の周辺に沿った切込みが相対する２ヶ所に形成され、前記周辺から中央に向った切込みに沿って、かつ直径方向の折曲げ線に沿って下方および上方に折曲げて下向きおよび上向きの羽根を形成してあることを特徴とする拡底鋼管杭。
【請求項２】
周辺から中央に向った切込みは鋼管の周辺に沿った切込みに一部屈折して連結している請求項１記載の拡底鋼管杭。
【請求項３】
拡径円盤の下面の径方向中央部に錐形の沓が設けてある請求項１記載の拡底鋼管杭。
【請求項４】
拡径円盤の下面中央部に切削瓜が突設してある請求項１記載の拡底鋼管杭。
【手続補正２】
【補正対象書類名】明細書
【補正対象項目名】全文
【補正方法】変更
【補正の内容】
【発明の詳細な説明】
【技術分野】
【０００１】
この発明は、基礎杭として地中に埋設される拡底鋼管杭に関するものである。
【背景技術】
【０００２】
鋼管杭の支持力を増加するため、あるいは地中への貫入を容易にするため、先端部に拡大翼、拡大羽根を固定する構造は種々提案、実施されている。
【特許文献１】特開２００３−３４２９５４号公報
【特許文献２】特開２００３−３４２９５３号公報
【特許文献３】特開２００１−１９３０６３号公報
【特許文献４】特開平１１−２４１３３７号公報
【特許文献５】特開平１０―１０２４８９号公報
【特許文献６】特開平  ９−３２４４２０号公報
【発明の開示】
【発明が解決しようとする課題】
【０００３】
ところで従来の拡大翼は複雑な鋳物構造のものが多い。そこで一枚の螺旋状のものとする構造も提案されている。
【０００４】
この発明は一枚の円盤状の鋼板を加工して溶接部分が少なく、必要強度を比較的落板で成形でき、製作費も少なく、全体として安価な拡底鋼管杭を提供しようとするものである。
【課題を解決するための手段】
【０００５】
鋼管の先端に円形の拡径円盤が溶接してあり、前記円盤は周辺から中央に向った切込みおよび鋼管の周辺に沿った切込みが相対する２ヶ所に形成され、前記周辺から中央に向った切込みに沿って、かつ直径方向の折曲げ線に沿って下方および上方に折曲げて下向きおよび上向きの羽根を形成してある。
【０００６】
また周辺から中央に向った切込みは鋼管の周辺に沿った切込みに一部屈折して連結している請求項１記載の拡底鋼管杭の前記拡底円盤の下面の径方向中央部に錐形の沓が設けてある。また他の実施例として拡径円盤の下面中央部に複数の切削瓜が突設してある請求項１記載の拡底鋼管杭がある。
【発明の効果】
【０００７】
この発明は前記構成からなり、１枚の鋼製円板に切目を入れ円板の一部を上下方向に折曲げることによって容易に羽根を形成でき、円盤は鋼管杭の下端に容易かつ確実に溶接することができ、延いては製作費を減少し、安価に拡底鋼管杭を提供できた。
【発明を実施するための最良の形態】
【０００８】
（実施例）
鋼管１の先端に円形の板状拡径円盤２が溶接してある。その円盤２は周辺から中央に向った切込みＸおよび鋼管の周辺に沿った切込みＹが相対する２ヶ所に形成され、前記周辺から中央に向った切込みＸに沿って、かつ直径方向の折曲げ線に沿って下方および上方に折曲げて下向き羽根３および上向きの羽根４を形成してある。
【０００９】
周辺から中央に向った切込みＸは鋼管１の周辺に沿った切込みに一部屈折して連結している。
【００１０】
拡径円盤の下面の径方向中央部に錐形の沓５が設けてある。
【００１１】
他の実施例として拡径円盤の下面中央部に複数の切削瓜６が突設してある。
【図面の簡単な説明】
【００１２】
【図１】立面図である。
【図２】他の立面図である。
【図３】拡径円盤の説明図である。
【図４】他の拡径円盤の説明図である。
【符号の説明】
【００１３】
１…鋼管、２…拡径円盤、３…下向き羽根、４…上向き羽板、５…沓、６…切削瓜、Ｘ…切込み、Ｙ…切込み  
【手続補正３】
【補正対象書類名】図面
【補正対象項目名】全図
【補正方法】変更
【補正の内容】
【図１】
2006009354.tif 000007
【図２】
2006009354.tif 000008
【図３】
2006009354.tif 000009
【図４】
2006009354.tif 000010